(57)【要約】      （修正有）【課題】省資源化に寄与し飲料物を速やかに飲用できる飲料物用容器の構造を提供する。【解決手段】飲料物用容器は、飲料物が充填される容器本体と、容器本体の設定面に対して内側に位置するように設けられる飲口部とを備える。飲口部は、変形領域３０と変形領域３０から突起する管部４０を有する。変形領域３０は、管部４０が外方に引っ張られることで設定面に対して外側に張り出すように変形する。【選択図】図２
2017074979.tif 000002
【特許請求の範囲】
【請求項１】
飲料物が充填される容器本体と、前記容器本体の設定面に対して内側に位置するように設けられる飲口部と、を備え、
前記飲口部は、
変形領域と、前記変形領域から突起する管部と、を有し、
前記変形領域は、前記管部が引っ張られることにより前記設定面に対して外側に張り出すように変形する
ことを特徴とする飲料物用容器。
【請求項２】
前記変形領域は、前記設定面に対して第１の角度をなす第１面と、前記第１面から形成され前記設定面に対して第２の角度をなす第２面と、が連続する段差部であり、
前記管部は、複数の前記第１面及び第２面のうち前記設定面から最も離れた面に連続して形成されている
請求項１記載の飲料物用容器。
【請求項３】
前記第１の角度及び前記第２の角度は各々９０度及び０度であり、
前記管部は、前記第２面から形成されている
請求項２記載の飲料物用容器。
【請求項４】
前記第１面は、前記第２面よりも径方向の幅が広い
請求項２記載の飲料物用容器。
【請求項５】
前記変形領域は、半球状の曲面であり、
前記管部は、前記曲面の中央から形成されている
請求項１記載の飲料物用容器。
【請求項６】
前記管部は、前記変形領域の中央から形成される管本体と、前記管本体の管を閉止し前記管本体から離脱可能な蓋部とを含む
請求項１乃至５のいずれかに記載の飲料物用容器。
【発明の詳細な説明】
【技術分野】
【０００１】
本発明は、飲料物用容器に関する。
【背景技術】
【０００２】
従来より、牛乳、ジュース、コーヒーなどの飲料用の液体を充填する紙パック容器は、容器にストローを突き刺して挿入する構造のものが多い。このような構造の容器は、容器とストローを別個に保管すると手間がかかる等の理由から、近年では、包装袋に入れたストローを包装袋ごと容器に貼り付けて流通、販売される場合が多い。
【０００３】
他方、このような容器は、省資源化の点で改善すべき余地があると考えられる。また、飲む際に容器からストローを取り外して容器に突き刺す作業が必要となるため、素早く飲むことができず、さらにはストローを突き刺す際に誤ってストローを地面に落としてしまう問題もある。
【０００４】
ストローを使わない紙パック容器として、口栓の先端部に伸縮可能なノズル部を設けた構造が特許文献１に開示されている。かかる構造は、ノズル部を覆うために比較的大きなキャップが必要となり、やはり省資源化の観点からは難点がある。また、かかる構造は、天板から口栓が突起しているため、容器をフィルムで包装した後にフィルムが口栓の部位で破損しやすい。
【先行技術文献】
【特許文献】
【０００５】
【特許文献１】特開平１１−２７８５１８号公報
【発明の概要】
【発明が解決しようとする課題】
【０００６】
本発明は、省資源化に寄与し速やかに飲用に供することのできる飲料物用容器を提供することを目的とする。
【課題を解決するための手段】
【０００７】
本発明に係る飲料物用容器は、飲料物が充填される容器本体と、前記容器本体の設定面に対して内側に位置するように設けられる飲口部と、を備え、前記飲口部は、変形領域と、前記変形領域から突起する管部と、を有し、前記変形領域は、前記管部が引っ張られることにより前記設定面に対して外側に張り出すように変形することを特徴とする。
【発明の効果】
【０００８】
本発明によれば、省資源化に寄与し飲料物を速やかに飲用できる飲料物用容器を提供することができる。
【図面の簡単な説明】
【０００９】
【図１】本発明に係る飲料物用容器の実施形態の全体構成を説明するための縦断面図である。
【図２】上記飲料物用容器の使用前の状態を説明する図であり、（ａ）は部分縦断面図、（ｂ）は平面図である。
【図３】上記飲料物用容器の管部を示す外観斜視図である。
【図４】上記飲料物用容器の使用時の状態を説明する図であり、変形領域が変形した状態を示す縦断面図である。
【図５】飲料物用容器の第２の実施形態を説明する図であり、段差部を示す縦断面図である。
【図６】飲料物用容器の第３の実施形態を説明する図であり、（ａ）は使用前の状態を示す縦断面図、（ｂ）は使用時に変形領域が変形した状態を示す縦断面図である。
【発明を実施するための形態】
【００１０】
本発明に係る飲料物用容器の実施形態を、図面を参照して詳細に説明する。
【００１１】
（第１の実施形態）
図１に示す飲料物用容器１は、飲料物が充填される容器本体１０に飲口部２０が一体に設けられている。
【００１２】
本実施形態では、容器本体１０は、平面視で矩形を呈する箱状の容器であり、底面１１、底面１１の各辺から立ち上がる４つの側面１２、及びこれら側面１２に連接される天板１３の６面構造となっている。これら６つの面のうち、天板１３は、飲口部２０が設けられる設定面であり、後述する段差部の各面の角度の基準面ともなる。
【００１３】
容器本体１０は、紙を基材として複数の層が積層されたラミネート構造を有する。かかるラミネート構造は公知のものであり、詳細な説明を省略する。また、容器本体１０の材質は、ＰＥＴなどのプラスチックであってもよい。
【００１４】
本実施形態では、容器本体１０に充填される飲料物は、ジュース、牛乳、コーヒー、スポーツドリンクなどの各種飲料水を想定している。但し、後述する管部４０の管内径によっては、飲料物として、各種の粉状物や果実の粒などを含ませることができ、また、ゲルないしゼリー状の飲料物を充填することもできる。
【００１５】
飲料物用容器１は、容器本体１０に充填された飲料物を利用者に提供する機構として、容器本体１０の天板１３と一体に設けられた飲口部２０を備える。
【００１６】
飲口部２０は、本実施形態では容器本体１０と同じ材質で成形されている。飲口部２０は、容器本体１０とは別個に製作され、容器本体１０の天板１３に設けられた円形の開口部に対して接着される。
【００１７】
図２に示すように、飲口部２０は、変形領域としての段差部３０と、容器本体１０の天板１３に接着されるフランジ部３５と、段差部３０の中央から直立する管部４０と、を備える。
【００１８】
段差部３０は、図２（ａ）に示すように、階段状の段差を有し、図２（ｂ）に示すように、平面視で円形の形状を呈する。段差部３０は、フランジ部３５及び天板１３に対して所定角度をなす第１面３１と、第１面３１から延設される第２面３２と、が連続して形成される。
【００１９】
この例では、段差部３０は、第１面３１がフランジ部３５及び天板１３に対して直交方向に伸び、第２面３２がフランジ部３５及び天板１３に対して平行方向に伸びる。すなわち、設定面である天板１３と第１面３１とのなす角度を第１の角度とし、天板１３と第２面３２とのなす角度を第２の角度とすると、第１の角度は９０度、第２の角度は０度である。
【００２０】
図示の例では、段差部３０の段差の数が７つであり、第１面３１及び第２面３２を各々７つずつ設けているが、かかる段差の数は任意に選択できる。
【００２１】
第１面３１及び第２面３２は、それぞれ共通の中心点を有する同芯の円環形であり、図示のように、天板１３から離れるにつれて径が小さくなって行く。すなわち、フランジ部３５から延設される第１面３１ａ及び当該第１面３１ａから延設される第２面３２ｂを総称して１段目とすると、２段目は１段目よりも第１面及び第２面の径が小さい。そして、天板１３から最も離れて位置する最終段（この例では７段目）の第１面及び第２面の径が最も小さくなる。
【００２２】
図３に示すように、管部４０は、段差部３０の中央から延びる管本体４１と、管本体４１から離脱可能な蓋部４２とを含む。
【００２３】
管本体４１は、使用者の口で吸引される吸い口ないしストローとしての役割を担う。但し、容器本体の内部に挿入される一般的なストローとは異なり、管本体４１は、段差部３０の中央から上方に伸びる構成である。この例では、管本体４１は、段差部３０の最終段（７段目）の第２面３２に連続して形成されている（図２（ａ）参照）。
【００２４】
蓋部４２は、管部４０の管（すなわち内面）４０ａを閉止する蓋としての役割を担う。蓋部４２は、使用時にちぎり取られる部位であり、例えば管部４０の先端側を押しつぶして熱溶着することで、図３に示すように扁平状に形成される。
【００２５】
管部４０の幅、断面形状及び長さは任意であって特に限定されない。但し、飲料物に上述した粉状物や果実の粒などを含ませる場合やゲルないしゼリー状の飲料物を容器本体１０に充填する場合には、管部４０の幅すなわち管の内径を相対的に大きくすることが望ましい。
【００２６】
他方、段差部３０の深さは、管部４０の長さを考慮して設定される。具体的には、図１に示すように、管部４０の先端がフランジ部３５と同一またはフランジ部３５よりも下方に位置するように、変形領域のサイズが設定される。このような構成とすることで、飲用前には管部４０が飲口部２０内に収容され、かつ管部４０を含む飲口部２０全体が天板１３から上方に突出しない。したがって、容器全体をフィルムなどの各種包装材で包装した場合でも、かかる包装材が破損する可能性を低くすることができる。さらに、流通の際に複数の容器を箱詰めする場合、他の容器と干渉する可能性を低くすることが出来る。
【００２７】
図２（ａ）に示すように、本実施形態では、飲口部２０のフランジ部３５にシール材５０を貼り付けており、飲口部２０全体がシール材５０によって保護されている。かかるシール材５０は、段差部３０の平面形状よりも大きい形状であり、この例ではフランジ部３５に対応した平面円形となっている。シール材５０は、省資源化や素早く飲用に供する観点からは、省くこともできる。他方、衛生面等の観点からは、飲口部２０をシール材５０で覆うことが望ましい。
【００２８】
飲料物用容器１は、飲用前は、図２（ａ）に示すように、段差部３０及び管部４０がフランジ部３５よりも下方に位置している。したがって、飲用前は、飲口部２０の大部分が容器本体１０の内部に収容され、天板１３上にはフランジ部３５及びシール材５０のみが位置する。
【００２９】
飲用の際には、ユーザがシール材５０を剥がして段差部３０を露出させ（図２（ｂ）参照）、この状態から例えば容器本体１０及び管本体４１を片手で持ちながら蓋部４２をちぎり取ることで、蓋部４２が端部４３の箇所で管本体４１から取り外される。蓋部４２が管本体４１から離脱すると、管本体４１の管４０ａが開かれ、管本体４１を通じて容器本体１０の内部が外部の大気と連通する。
【００３０】
続いて、管部４０を持って上方に引っ張ると、管部４０とともに段差部３０の中央が上方に引き上げられる。この動作により、段差部３０の全ての第１面３１及び第２面３２が各々反転するように変形する。すなわち、変形領域である段差部３０の全体が変形し、図４に示すように、段差部３０さらには飲口部２０の全体が天板１３より上方に突出する。場合により、かかる段差部３０を変形させてから蓋部４２をちぎり取ってもよい。
【００３１】
かくして、蓋部４２が除去された状態の管本体４１に口を付け、容器全体を傾けながら管本体４１の内部の空気を吸い出すと、容器本体１０内部の飲料物が段差部３０の内面及び管本体４１を経て使用者の口内に供給される。
【００３２】
本実施形態の飲料物用容器１によれば、以下のような利点が得られる。
【００３３】
飲料物用容器１では、容器と吸口ないしストローの部分が一体化された構成となっているため、省資源化に寄与し、かつ飲料物を速やかに飲用することができる。また、飲用の際に廃棄する部分が少ないので、環境面でも優れている。
【００３４】
飲用前は飲口部２０の殆どの部位が容器本体１０の内部に収納された状態であるため、包装時さらには流通の際の箱詰め等の観点からも有利である。他方、飲用の際には飲口部２０が容器の外方に突起し、段差部３０の中央が絞り込まれた形状となっていることからも、容器本体１０内の飲料物を残存させることなく最後まで飲むことができる。
【００３５】
また、複数の第１面３１及び第２面３２が連続してなる段差部３０を有することから、飲用中に段差部３０を変形させて、管部４０をより飲みやすい角度に調節して使うこともできる。
【００３６】
（飲口部の他の実施形態）
飲口部２０は、変形例として種々の構成があり得る。以下、図５及び図６を参照して、飲口部の他の実施形態について説明する。なお、上述した実施形態と同様の部分については図示及び説明を省略する。
【００３７】
（第２の実施形態）
図５に示す飲口部２０は、蛇腹状の形状とした段差部３０Ａを備える。かかる段差部３０Ａは、フランジ部３５及び天板１３に対して所定角度をなす第１面３１Ａと、第１面３１Ａから延設される第２面３２Ａと、が連続して形成される。
【００３８】
段差部３０Ａは、第１面３１Ａがフランジ部３５及び天板１３に対して鈍角方向に伸び、第２面３２Ａが第１面３１Ａに対して鋭角方向に伸びる。すなわち、設定面である天板１３と第１面３１Ａとのなす角度を第１の角度とし、天板１３と第２面３２Ａとのなす角度を第２の角度とすると、第１の角度は９０度よりも大きく（例えば約１５０度）、第２の角度は９０度よりも小さい（例えば約７０度）。
【００３９】
この実施形態では、管部として、段差部３０の中央から延びる管本体４１と、管本体４１から離脱可能な蓋部４２Ａとを含む。管本体４１は、段差部３０Ａの中央の第１面３１から形成されている。蓋部４２Ａは、管本体４１の先端に被せられる樹脂等からなる断面略凹状のキャップであり、飲用時に管本体４１から引き抜かれて外される。蓋部の他の例として、管本体４１の先端に貼り付けられるフィルム状のシール材とすることもできる。このような蓋部は、変形領域の深さをより小さくする上で有利である。また、図３で上述した第１の実施形態と同様に、管本体４１の先端部を圧接および溶着して管本体４１と一体構造に成形し、使用時にちぎり取る構成の蓋部を設けることもできる。
【００４０】
本実施形態の段差部３０Ａは、第１面３１Ａの径方向の幅が、第２面３２Ａの径方向の幅よりも広い。すなわち、図５に示す第１面３１の幅Ｗ１と第２面３２の幅Ｗ２との関係は、
Ｗ１＞Ｗ２
である。かかる関係とすることで、段差部３０Ａが変形領域として有効に機能する。
【００４１】
総じて、変形領域は、管部４０が外方に引っ張られることにより天板１３（設定面）に対して外側に張り出すように変形する構造であればよい。
【００４２】
他方、蓋部を除去して管本体４１を開管する際にある程度の力が必要なこと、さらには使用時すなわち飲料時における管本体４１の安定性などを考慮すると、変形領域は、適度な剛性を有する構造であることが望ましい。
【００４３】
（第３の実施形態）
図６（ａ）に示す飲口部２０は、半球状の曲面とした変形領域３０Ｂを備え、かかる変形領域３０Ｂの中央から管部４０が直立するように形成されている。蓋部４２は、第１の実施形態と同様に、管本体４１の先端部を圧接および溶着して管本体４１と一体構造に成形している。飲用時には、図６（ａ）に示す状態から、上述のように蓋部４２をちぎり取り、或いは蓋部４２を残したまま、管部４０を持って上方に引っ張る。この動作により、変形領域３０Ｂの中央が上方に引き上げられ、図６（ｂ）に示すように、変形領域３０Ｂの半球状の曲面全体が反転して天板１３の外側に張り出すように変形する。
【００４４】
かかる変形領域３０Ｂを有する飲口部２０及び飲料物用容器は、形状がシンプルなので製造がより容易になるメリットがある。
【００４５】
飲口部２０は、上述した各実施形態では平面円形の形状としている。変形例として、飲口部２０を平面楕円形などの他の形状とすることもできる。また、上述の各実施形態では、飲口部２０は、容器本体１０と同じ材質を用いて製作した。変形例として、飲口部２０を合成樹脂などの他の材質で製作することもできる。
【００４６】
さらに、上述の各実施形態では、飲口部２０は、容器本体１０の天板１３と別個に製作し、フランジ部３５を天板に接着する構成とした。変形例として、飲口部２０のフランジ部３５の部分を天板１３と一体化するように製作してもよい。
【００４７】
上述した各実施形態では、飲料物用の飲口部及びかかる飲口部を備えた容器について説明したが、上述した各実施形態の構成は、飲料物用のみならず、種々の用途に適用することができる。
【００４８】
その他、本発明の飲料物用容器は、特許請求の範囲に記載した技術思想を逸脱しない範囲で設計変更可能である。
【符号の説明】
【００４９】
１  飲料物用容器
１０  容器本体
１３  天板
５０  シール材
２０  飲口部
３０，３０Ａ  段差部（変形領域）
３１，３１Ａ  第１面
３２，３２Ａ  第２面
３０Ｂ  変形領域
３５  フランジ部
４０  管部
４１  管本体
４２  蓋部
【図１】
2017074979.tif 000003
【図２】
2017074979.tif 000004
【図３】
2017074979.tif 000005
【図４】
2017074979.tif 000006
【図５】
2017074979.tif 000007
【図６】
2017074979.tif 000008